(57)【要約】【課題】鍵違いの増大化を図ると共に、複製が困難なキーを得ること。【解決手段】外筒と、この外筒に回動可能に設けられキー孔を有する内筒と、外筒及び内筒に渡って弾発力を付与して挿通されたドライバーピンとタンブラーピンとを有し、かつ、外筒と内筒の境目に相当するシェアラインに前記タンブラーピンの外端部を位置させることができるにように該シェアラインに沿って配設された列状のピン群を備える錠本体と、差し込み部分の内筒のキー孔と直交するキー軸直角断面の周方向に位置する凹所状第１キーコード（Ｃ１）及該第１キーコード（Ｃ１）とは別個の位置に形成され、キー軸方向の外面の外形線に高低差（７）を有する第２キーコード（Ｃ２）とから成るピンタンブラー錠。【選択図】図９
2015078526.tif 000002
【特許請求の範囲】
【請求項１】
外筒と、この外筒に回動可能に設けられキー孔を有する内筒と、外筒及び内筒に渡って弾発力を付与して挿通されたドライバーピンとタンブラーピンとを有し、かつ、外筒と内筒の境目に相当するシェアラインに前記タンブラーピンの外端部を位置させることができるにように該シェアラインに沿って配設された列状のピン群を備える錠本体と、差し込み部分の内筒のキー孔と直交するキー軸直角断面の周方向に位置する凹所状第１キーコード（Ｃ１）及該第１キーコード（Ｃ１）とは別個の位置に形成され、キー軸方向の外面の外形線に高低差（７）を有する第２キーコード（Ｃ２）とから成るピンタンブラー錠。
【請求項２】
請求項１に於いて、列状のピン群は、少なくとも第１列のピン群と、該第１列のピン群に対して１８０度対向位置に存在する第２列のピン群とから成ることを特徴とするピンタンブラー錠。
【請求項３】
請求項２に於いて、第１列のピン群又は第２列のピン群に対して、４５度位置に第３列のピン群が配設され、この第３列のピン群の各タンブラーピンは、第１キーコード（Ｃ１）の凹所の深さに対応して係合することを特徴とするピンタンブラー錠。
【請求項４】
請求項２に於いて、第１列のピン群又は第２列のピン群に対して、４５度位置に外筒及び内筒に渡って弾発力を付与してクリックピン及びクリックピン受けが設けられていることを特徴とするピンタンブラー錠。
【請求項５】
請求項１に於いて、差し込み部分の先端部には、該先端部よりも小径の弾頭状或いは指先状のキー挿入補助突起が設けられていることを特徴とするピンタンブラー錠。
【請求項６】
請求項１に於いて、内筒のキー孔の少なくとも１８０度対向位置には、受入溝が形成され、これらの対向する受入溝には回転対称に形成された棒状体の差し込み部分に突出形成した係合部分が係合し、前記受入溝と前記係合部分の係合構成によって、キーの回転力を内筒に伝えることを特徴とするピンタンブラー錠。
【発明の詳細な説明】
【技術分野】
【０００１】
本発明はピンシリンダー錠に関し、特に錠本体とキー（鍵本体）とから成るピンシリンダー錠に関する。
【背景技術】
【０００２】
特許文献１には、「外筒と、この外筒に回動可能に設けられキー孔を有する内筒と、外筒及び内筒に渡って弾発力を付与して挿通されたドライバーピンとタンブラーピンとを有し、かつ、外筒と内筒の境目に相当するシェアラインに前記タンブラーピンの外端部を位置させることができるにように該シェアラインに沿って配設された列状のピン群を備える錠本体と、前記内筒の円形キー孔（又は内筒の回転軸）と直交する軸直角断面が円形で、かつその周面に深さの異なる凹所を複数個形成された差し込み部分（特許文献１の第５図）と、該差し込み部分の基端部に一体的に設けられた摘み部分とから成るキー（鍵本体）とから成るピンタンブラー錠であって、前記差し込み部分を前記内筒の円形キー孔に挿入すると、前記列状のピン群を前記凹所（窪み）の深さに応じて半径方向に作動させるピンタンブラー錠」が記載されている。
【０００３】
また特許文献１には、円形キーの回転力を内筒に伝えるために、前記キー（鍵本体）の周面に軸方向の凹溝を形成し、一方、錠本体に前記凹溝に係合する係合ピンを配設することが記載されている。
【０００４】
特許文献２には、特許文献１と同様に錠本体とキー（鍵本体）とから成るシリンダー錠が記載され、「鍵違い数を増加させる目的」で、前記キー（鍵本体）の平坦面に長手方向の位置によって角度と深さが異なる複数の凹所（窪み）が形成されている。
特許文献３は、外筒乃至内筒に複数列のピン群を配設し、かつ、ピン群を構成するタンブラーピンの長さを「長いもの、短いもの」に変える事項が記載されている。
【０００５】
特許文献１乃至特許文献３は、ピンタンブラー錠は直接又は間接的に鍵違いの増大化を図るものであるが、本発明は、特に、キーの構造によって、鍵違いの増大化を図ることを目的とする。
【先行技術文献】
【特許文献】
【０００６】
【特許文献１】公開実用昭和５７−１９００６８号公報
【特許文献２】実用新案登録第２５９５６３８号公報
【特許文献３】特開２００１−１８２３９７号公報
【発明の概要】
【発明が解決しようとする課題】
【０００７】
本発明の目的は、鍵違いの増大化を図ると共に、複製が困難なキーを得ることである。第２の目的は、少なくともキーを１８０度回転対称にしても使用することができることである。第３の目的は、キー挿入時の容易性或いはキー挿入時の利便性を可能な限り追及することである。その他の目的は、従属項によって特定される。
【課題を解決するための手段】
【０００８】
本発明のシリンダー錠は、外筒と、この外筒に回動可能に設けられキー孔を有する内筒と、外筒及び内筒に渡って弾発力を付与して挿通されたドライバーピンとタンブラーピンとを有し、かつ、外筒と内筒の境目に相当するシェアラインに前記タンブラーピンの外端部を位置させることができるにように該シェアラインに沿って配設された列状のピン群を備える錠本体と、差し込み部分の内筒のキー孔と直交するキー軸直角断面の周方向に位置する凹所状第１キーコード（Ｃ１）及該第１キーコード（Ｃ１）とは別個の位置に形成され、キー軸方向の外面の外形線に高低差（７）を有する第２キーコード（Ｃ２）とから成ることを特徴とする。
【発明の効果】
【０００９】
（ａ）請求項１に記載の発明は、キー軸直角断面の周方向に位置する凹所状第１キーコード（Ｃ１）のみならず、差し込み部分のキー軸方向の外形線の高低差（７）を第２キーコード（Ｃ２）として利用するので、鍵違いの増大化を図ることができると同時に、複製が困難なキーを得ることができる。
（ｂ）請求項２に記載の発明は、列状のピン群は、少なくとも第１列のピン群と、該第１列のピン群に対して１８０度対向位置に存在する第２列のピン群とから成るので、少なくともキーを１８０度回転して使用することができる
（ｃ）請求項３に記載の発明は、差し込み部分の第１キーコードは深さの異なる凹所を有しているので、鍵違いの数を飛躍的に増大させることができる。
（ｄ）請求項４に記載の発明は、キーの挿入時又は抜き取り時、クリック感を与えることができる。
（ｅ）請求項５に記載の発明は、差し込み部分の先端部には、該先端部よりも小径の弾頭状或いは指先状のキー挿入補助突起が設けられているので、キー挿入時の容易性を図ることができる。
（ｆ）請求項６に記載の発明は、キー挿入時の利便性を可能な限り追及することができる共に、内筒を確実に回すことができる。
【図面の簡単な説明】
【００１０】
図１乃至図１２は本発明の一実施形態を示す各説明図。
【図１】本発明が錠本体１とキー２から成ることを示す説明図。
【図２】キー２のキー本体（基端部と差し込み部分）の正面図（摘み部分は省略）  。
【図３】キー２のキー本体の左側面図。
【図４】図２の要部（差し込み部分）の拡大説明図。
【図５】図４を参照にした第２キーコード（外形線の高低差）の説明図。
【図６】図３の矢印Ａから見た要部（差し込み部分）の拡大説明図。
【図７】図６を参照にした第１キーコード（深さの異なる凹所）の説明図。
【図８】キー２を錠本体１に差し込む前の錠本体１の概略断面説明図。
【図９】キー２を錠本体１に差し込んだ時の概略断面説明図。
【図１０】図９の１０−１０線概略断面説明図（便宜上９０度回転して示す）。
【図１１】要部（第１キーコード及びクリック手段にそれぞれ係合するキー２）の概略断面説明図。
【図１２】鍵穴の挿入口に形成した受入溝の説明図。
【発明を実施するための最良の形態】
【００１１】
（１）主要部の説明
図１乃至図１２は、本発明の一実施形態の各説明図である。図１は本発明のピンシリンダー錠Ｘが錠本体１とキー２から成ることを示す説明図である。錠本体１は可動障害子１６が直線方向（内筒の半径方向）に移動するピンシリンダーである（図８、図９参照）。
【００１２】
したがって、錠本体１は、例えば図８で示すように、外筒１１と、この外筒に回動可能に設けられキー孔１３を有する内筒１２と、外筒１１及び内筒１２に渡ってバネ１４の弾発力を付与して挿通されたドライバーピン１５とタンブラーピン１６とを有し、かつ、外筒１１と内筒１２の境目に相当するシェアラインＬに前記タンブラーピンの鍔状外端部１６ａを位置させることができるにように該シェアラインＬに沿って配設された列状のピン群を備える。前記タンブラーピンの係合内端部１６ｂは、図８で示すように、キー２を錠本体１に差し込む前はキー孔１３に所定量出ている。錠本体１のその他の構成、例えば内筒の後端部に設けられた回転軸（テールピース）２３、ワッシャー２４、外筒の外周面に形成した切欠用カバー２５などの細部的事項の説明は割愛する。
【００１３】
ここでは、キー２の構成を説明する。キー２は、摘み部分３と、該摘み部分に固定（第１実施形態）又は回転可能に設けられたキー本体４とから成り、前記キー本体４は摘み部分３に固定又は軸支される杆状基端部４ａと、この杆状基端部４ａに連設する棒状の差し込み部分（ブレード部分）４ｂとから成る。
【００１４】
本発明は、キー本体４の差し込み部分４ｂのキーコードに特徴があり、鍵違いの数を飛躍的に増大する、複製が困難なキーを得るという目的を考慮すると、第１キーコードＣ１のみならず、第２キーコードＣ２も一緒に設けるのがより好ましい。第１キーコードＣ１及び第２キーコードＣ２の複数個の凹所形状は、望ましくは深さの異なる凹所或いは高さが異なる断面すり鉢形状に形成されている。
【００１５】
本発明のキー２は錠本体１の列状のピン群の位置によって特定付けられる。すなわち、本発明のキー２は、錠本体１のキー孔１３に、その差し込み部分４ｂを挿入した際、差し込み部分４ｂの周面のキー軸（長手）方向外形線ＯＬ（図５参照）の高低差７に応じて列状のピン群の各タンブラーピン１６の鍔状外端部１６ａをシェアラインＬに一致させるように作動させる（図９参照）。
【００１６】
そして、好ましくは、列状のピン群は、少なくとも第１列のピン群Ｌ１と、該第１列のピン群に対して１８０度対向位置に存在する第２列のピン群Ｌ２とから成る（例えば図８を基準にすると、垂直方向の上方のピン群と下方のピン群）。またより好ましくは、前記第１列のピン群Ｌ１又は第２列のピン群Ｌ２（図１０では、上方のピン群は左側、下方のピン群は右側）に対して、４５度位置に第３列のピン群Ｌ３（図１１では上右側のピン）が配設され、この第３列のピン群Ｌ３の各タンブラーピン１６は、差し込み部分４ｂの周面に形成した第１キーコードＣ１としての凹所Ｄの深さに対応して係合する。
【００１７】
また望ましくは、第１列のピン群Ｌ１又は第２列のピン群Ｌ２に対して、４５度位置に外筒及び内筒に渡って第２バネ１７の弾発力を付与してクリックピン１８及びクリックピン受け１９が設けられている。
【００１８】
一方、キー挿入時のキーの挿入容易性を配慮し、キー２の差し込み部分４ｂの先端部には、該先端部よりも小径の弾頭状或いは指先状のキー挿入補助突起４ｃが設けられている。さらに、キー挿入時の利便性を可能な限り追及（リバーシブル機能を十分に生かす）すると共に、キーの回転力を内筒に確実に伝えるために、内筒１２のキー孔１３の少なくとも１８０度対向位置には、合計二箇所の受入溝２１が形成され、これらの対向する受入溝２１には回転対称に形成された棒状体の差し込み部分４ｂの係合部分４ｄが係合し、前記受入溝２１と前記係合部分４ｄの係合構成によって、キーの回転力を内筒に伝える（実施形態では４回転対称）。
【００１９】
（２）キー本体のキーコードの具体的説明
図４は図２の要部（差し込み部分）の拡大説明図、図５は第２キーコードＣ２の説明図である。これらの図を参照にして第２キーコードＣ２を説明する。なお、図４の差し込み部分４ｂに対する符号Ｐ１乃至Ｐ６並びに各ラインは、説明の便宜上のもので、例えばＰ１とＰ２の間、Ｐ２とＰ３の間、Ｐ３とＰ４の間、Ｐ４とＰ５の間及びＰ５とＰ６の間の周面のキー軸方向の外形線も第２キーコードＣ２として利用することができる。また井桁の符号「井１〜井３」は、タンブラーピン１６の係合内端部１６ｂが係合する縦断面多角形の外形線における高低差を意味するもので、図５は図４に基づくＰ１乃至Ｐ６の各部位における外形線の高低差７（７ａ、７ｂ、７ｃ）を示す。
【００２０】
しかして、図５を参照にすると、差し込み部分４ｂの内筒１２のキー孔１３と対応する縦断面多角形（例えば十字型）の外形線ＯＬが、周方向に所定間隔を有して存在する複数個（例えば４個）の凹所形状６（６ａ、６ａ、６ａ、６ａ）と、これらの凹所形状をそれぞれ接続する直線或いは弧状線の接続形状７（７ａ、７ａ、７ａ、７ａ）とから成り、しかも、前記接続形状７は周面の長手方向に連続的に形成された複数の高低差（７ａ、７ｂ、７ｃ）を有する。
【００２１】
付言すると、図５は、外観上、一番括れ部分が深く見える（図４参照）先端部寄りの部位Ｐ１と基端部寄りの部位Ｐ６のキー軸の直角断面を示しているので、差し込み部分４ｂの中心点Ｏを基準にすると、一番深い接続形状７ａは４回転対称（左右・上下が同一深さの点対称）である。直線状に見える一番深い接続形状７ａの間には、実施形態では合計４個のすり鉢形状の凹所形状６（６ａ、６ａ、６ａ、６ａ）が存在する。
【００２２】
ところで、実施形態では、例えば図４を参照にすると、先端部寄りの部位Ｐ１と基端部寄りの部位Ｐ６は一番低い（或いは深い）接続形状７ａである。次いで、Ｐ１とＰ６の間に合計３個の二番目に低い（或いは深い）接続形状７ｂが存在する（中間部位）。そして、先端部寄りの部位Ｐ１に続く大径部分Ｐ２が一番高い（或いは浅い）接続形状７ｃである。また、接続形状７ａ、７ｂは直線である一方、一番外側の接続形状７ｃはやや弧状線であるが、これらの形状は発明の目的を逸脱しない範囲に於いて、任意に設計変更することができる。
【００２３】
次に、図６は図３の矢印Ａから見た要部（差し込み部分）の拡大説明図、また図７は図６を参照にした第１キーコード（窪み）Ｃ１の説明図である。
これらの図を参照にして第１キーコードＣ１を説明する。なお、図６の差し込み部分４ｂに対する符号ａ乃至ｊ並びに各ラインは、図４の場合と同様に説明の便宜上のものである。
【００２４】
したがって、井桁の符号「井４〜井７」は、タンブラーピン１６の係合内端部１６ｂが係合する縦断面多角形のすり鉢形状凹所８おける深さ（高低差）を意味するもので、図７は図４と同様に、図６に基づくａ乃至ｊの各部位におけるすり鉢形状凹所８の深さを示す。図７から明らかなように、前記すり鉢形状凹所８も、第２キーコードＣ２と同様に、４回転対称（左右・上下が同一深さの点対称）であり、差し込み部分４ｂの長手方向におれる縦断面の位置如何によって、大小の合計４種類の深さが異なる楔状係合面が存在する。
【００２５】
実施形態では、差し込み部分４ｂのキー軸（長手）方向に第１キーコードＣ１と第２キーコードＣ２が複雑に混在する。例えば第２キーコードＣ２のＰ１とＰ２の間に第１キーコードＣ１の井４と井５の深さが異なる楔状係合面が存在する。またＰ２とＰ３の間には第１キーコードＣ１の井６と井６の深さが同一の楔状係合面が存在する。このように、本発明は、第２キーコードＣ２の高低差と第１キーコードＣ１の凹所の大小の深さとを自由に組み合わせることによって、鍵違いの数を飛躍的に増大させることができると同時に、複製が困難なキーを得ることができる。
【実施例】
【００２６】
実施形態に於いて、キー軸の縦断面形状は、キー孔の形状に対応して任意に設計変更し得る事項であるが、第２キーコードＣ２の外形線の高低差並びに第１キーコードＣ１の凹所の高低差は、キー２の回転対称を考慮し、実施形態の如く、放射状に形成するのが望ましい。
また特に図示しないが、キー本体４は摘み部分３に対して回転可能に設けても良い。
【産業上の利用可能性】
【００２７】
本発明は、錠前や建具の分野で利用することができる。
【符号の説明】
【００２８】
Ｘ…ピンシリンダー錠、１…錠本体、２…キー、Ｏ…差し込み部分の中心点、３…摘み部分、４…キー本体、４ａ…杆状基端部、４ｂ…差し込み部分、４ｃ…キー挿入補助突起、４ｄ…係合部分、ＯＬ…外形線、Ｃ１…第１キーコード、Ｃ２…第２キーコード、７…接続形状、７ａ…一番低い（或いは深い）接続形状、７ｂ…中間部位の接続形状、７ｃ…一番高い（或いは浅い）接続形状、８…すり鉢形状の凹所、１１…外筒、１２…内筒、Ｌ…シェアライン、１３…キー孔、１３ａ…突条部分、１４…バネ、１５…ドライバーピン、１６…タンブラーピン、１６ａ…鍔状外端部、１６ｂ…係合内端部、Ｌ１…１列のピン群、Ｌ２…第２列のピン群、Ｌ３…第３列のピン群、１７…第２バネ、１８…クリックピン、１９…クリックピン受け、２１…受入溝。
【図１】
2015078526.tif 000003
【図２】
2015078526.tif 000004
【図３】
2015078526.tif 000005
【図４】
2015078526.tif 000006
【図５】
2015078526.tif 000007
【図６】
2015078526.tif 000008
【図７】
2015078526.tif 000009
【図８】
2015078526.tif 000010
【図９】
2015078526.tif 000011
【図１０】
2015078526.tif 000012
【図１１】
2015078526.tif 000013
【図１２】
2015078526.tif 000014